(57)【特許請求の範囲】
【請求項１】
横長の断面形状を有するコード（１）の外被（２）を剥離し、その内側の心線（３）をコネクタ（４）内に挿通し、剥離した外被（２）を同コネクタ（４）の心線差込み側端部（５）の外側に被せ、その外被（２）に前記コード（１）の横長断面形状に対応した横長断面形状であるリング状の止め具（６）を被せ、この止め具（６）をかしめ治具（７）により加圧変形させ、加圧変形によって止め具（６）の横長の一対の辺のそれぞれ中央部に形成された面状の圧着部（８）により前記外被（２）を心線差込み側端部（５）に圧着固定すると共に、加圧変形によって生じた止め具（６）の余剰部（９）を圧着部（８）の両側で前記加圧方向と反対方向に膨出させることを特徴とするコネクタとコードの固定方法。
【請求項２】
請求項１記載のコネクタとコードの固定方法において、かしめ治具（７）として、止め具（６）に圧着部（８）を形成可能な加圧部（１０）と、加圧部（１０）による加圧によって止め具（６）が加圧方向側方に広がることを規制する規制部（１１）と、加圧部（１０）による加圧と規制部（１１）による規制によって加圧方向と反対方向に膨出する止め具（６）の余剰部（９）を収受可能な逃げ部（１２）を備えたものを使用することを特徴とするコネクタとコードの固定方法。
【請求項３】
外被（２）が剥離された断面形状横長のコード（１）の心線（３）がコネクタ（４）内に挿通され、同コネクタ（４）の心線差込み側端部（５）の外側に剥離された外被（２）が被せられ、この外被（２）の外側に前記コード（１）の横長断面形状に対応した横長断面形状であるリング状の止め具（６）が被せられ、前記外被（２）は止め具（６）が加圧変形されて止め具（６）の横長の一対の辺のそれぞれ中央部に形成された面状の圧着部（８）によって心線差込み側端部（５）に圧着固定され、前記圧着部（８）の両側に前記加圧によって加圧方向と反対方向に膨出変形した余剰部（９）が存在することを特徴とするコネクタとコードの固定構造。
【請求項４】
請求項３記載のコネクタとコードの固定構造であって、止め具（６）に２以上の余剰部（９）が存在することを特徴とするコネクタとコードの固定構造。
【請求項５】
請求項３又は請求項４記載のコネクタとコードの固定構造において、心線差込み側端部（５）の外側に被せられた外被（２）は、止め具（６）の対向する圧着部（８）に挟まれて心線差込み側端部（５）に圧着固定され、止め具（６）のうち前記圧着部（８）の外側に余剰部（９）が存在することを特徴とするコネクタとコードの固定構造。
【発明の詳細な説明】
【０００１】
【発明の属する技術分野】
本発明は、光ファイバコードや電気コードといった各種コードとコネクタを固定するための方法及び構造に関するものであり、特に多心の光ファイバコードと光コネクタの固定に適した方法及び構造に関するものである。
【０００２】
【従来の技術】
従来の光コネクタと光ファイバコードの固定構造の一例を図７（ａ）（ｂ）に基づいて説明する。図７（ａ）（ｂ）に示す固定構造は外被（シース）Ａが剥離された光ファイバコードＢの心線ＣをコネクタハウジングＤ内に挿通し、剥離させた外被Ｂを同ハウジングＤの後端部Ｅの外側に被せ、この外被Ｂをその外側に被せたリング状の止め具Ｆをかしめて加圧変形させることによって前記後端部Ｅに圧着固定したものである。
【０００３】
【発明が解決しようとする課題】
従来の光コネクタと光ファイバケーブルの固定構造は、単心の光ファイバコード等のように断面形状が真円のコードを固定する場合には特に問題はないが、多心のコードの場合には次のような問題があった。
（１）一般的に多心の光ファイバコードや電気コード等は楕円形や長方形といった横長の断面形状を有する。従って、これらを固定するために従来と同様の断面真円の止め具を使用しようとすると、止め具の径が非常に大きくなってしまう。
（２）前記（１）の問題を解決するために、止め具の断面形状をコードのそれに応じた横長にした場合、形状の不均一性のために全体を均等な力で加圧する（かしめる）ことが困難となる。具体的には図８に示すように、横長の止め具Ｆを真円の止め具をかしめるために使用している従来のかしめ治具Ｇでかしめると、止め具Ｆが局部的に変形し、その内側のコネクタハウジング（図示しない）が破損する虞がある。
（３）前記（２）の課題を解決するために、コネクタハウジングを高強度な金属製のものとすると、同ハウジングの生産コストが高騰する。また、図９に示すように、かしめ治具Ｇの内空間の幅方向両外側にクリアランス（逃げ）Ｈを設けて止め具Ｆの局部的変形を回避することも考えられるが、この場合、圧縮力も幅方向外側に逃げてしまうため、かしめ力が不足し、十分な固定強度が得られない。
【０００４】
【課題を解決するための手段】
本発明の目的は、コードの断面形状に対応した横長の断面形状を有する止め具を使用しても、当該止め具が局部的に変形したり、かしめ力が不足して固定強度が低下したりすることのないコネクタとコードの固定方法及び固定構造を提供することにある。
【０００５】
本件出願の第１のコネクタとコードの固定方法は、横長の断面形状を有するコードの外被を剥離し、その内側の心線をコネクタ内に挿通し、剥離した外被を同コネクタの心線差込み側端部の外側に被せ、その外被に前記コードの横長断面形状に対応した横長断面形状であるリング状の止め具を被せ、この止め具をかしめ治具により加圧変形させ、加圧変形によって止め具の横長の一対の辺のそれぞれ中央部に形成された面状の圧着部により前記外被を心線差込み側端部に圧着固定すると共に、加圧変形によって生じた止め具の余剰部を圧着部の両側で前記加圧方向と反対方向に膨出させる固定方法である。
【０００６】
本件出願の第２のコネクタとコードの固定方法は、かしめ治具として止め具に圧着部を形成可能な加圧部と、加圧部による加圧によって止め具が加圧方向側方に広がることを規制する規制部と、加圧部による加圧と規制部による規制によって加圧方向と反対方向に膨出する止め具の余剰部を収受可能な逃げ部を備えたものを使用するものである。
【０００７】
本件出願の第１のコネクタとコードの固定構造は、外被が剥離された断面形状横長のコードの心線がコネクタ内に挿通され、同コネクタの心線差込み側端部の外側に剥離された外被が被せられ、この外被の外側に前記コードの横長断面形状に対応した横長断面形状であるリング状の止め具が被せられ、前記外被は止め具が加圧変形されて止め具の横長の一対の辺のそれぞれ中央部に形成された面状の圧着部によって心線差込み側端部に圧着固定され、前記圧着部の両側に前記加圧によって加圧方向と反対方向に膨出変形した余剰部が存在する固定構造である。
【０００８】
本件出願の第２のコネクタとコードの固定構造は、止め具に２以上の余剰部が存在するものである。
【０００９】
本件出願の第３のコネクタとコードの固定構造は、請求項３又は請求項４記載のコネクタとコードの固定構造において、心線差込み側端部の外側に被せられた外被は、止め具の対向する圧着部に挟まれて心線差込み側端部に圧着固定され、止め具のうち前記圧着部の外側に余剰部が存在するものである。
【００１０】
【発明の実施の形態】
（実施形態１）
以下、本発明のコネクタとコードの固定構造の実施形態の一例を説明する。本実施形態に示すコネクタとコードの固定構造は、光コネクタと光ファイバコードを固定するための構造である。前記光ファイバコードは図２に示すように、複数の光ファイバを一括被覆してなる心線３の周囲に図示されていないケブラー等の抗張力体が配置され、その周囲がポリ塩化ビニル等のポリマー材料からなる外被２で被覆された多心の光ファイバコード１である。前記光コネクタは図１に示すように、前記コード１の先端に取り付けられたフェルール３０と、同フェルール３０を収容するコネクタハウジング３２から構成され、さらに、このコネクタハウジング３２はＰＢＴ（ポリブチレンテレフタレート）、ＰＰＳ（ポリフェニレンサルファイド）、ＰＣ（ポリカーボネイト）といったプラスチック材料又はこれらにアルミや黄銅といった金属を混合した複合材料からなるハウジング前方部材３４、ハウジング中間部材３６、ハウジング後方部材３８の３つの部材から構成されている。
【００１１】
本実施形態に示すコネクタとコードの固定構造では、図１（ａ）に示すように、コネクタ４（ハウジング後方部材３８）の心線差込み側端部５に被せた光ファイバコード１の外被２に、予め光ファイバコード１に挿通させておいたリング状の止め具６を引き寄せて被せ、その止め具６を図１（ｂ）に示す形状に加圧変形させることによって、光ファイバコード１の外被２をハウジング後方部材３８の心線差込み側端部５に圧着固定して、光ファイバコード１と光コネクタ４を固定している。
【００１２】
具体的には、図２（ａ）に示すように、前記光ファイバコード１の外被２の外側に被せたリング状の止め具６を図示されていないかしめ治具でかしめて、当該止め具６の対向する長辺部４０の長手方向中央寄りをそれぞれ対向方向内側に向けて（図中の矢印ａ方向に向けて）加圧することによって、当該止め具６に図２（ｂ）に示すようなコード１の幅よりも若干幅の狭い２つの平坦な圧着部８をコード１の高さ方向に対向させて形成し、夫々の圧着部８によってコネクタハウジング後方部材３８の心線差込み側端部５に被せられた光ファイバコード１の外被２を同心線差込み側端部５に圧着固定している。さらに、前記図２（ａ）に示す長辺部４０を図中の矢印ａ方向に加圧する際に、同止め具６の対向する２つの短辺部４２が加圧方向側方（図中の矢印ｂ方向）へ広がることを規制することによって、長辺部４０に加えられた圧力が矢印ｂ方向へ逃げることを防止し、前記圧着部８の形成及び形成された圧着部８による外被２の圧着固定が確実、且つ強固なものになるようにしてある。この結果、図２（ａ）に示す長辺部４０の長手方向両外側部４４は図中の矢印ａ方向とは反対方向に膨出するように変形し、夫々の圧着部８の幅方向両外側にコード１と非接触な余剰部９（図２ｂ）が形成される。
【００１３】
図２（ａ）に示す止め具６を同図（ｂ）に示すようにかしめて、本発明のコネクタとコードの固定構造を実現するかしめ治具として例えば図３に示すようなかしめ治具７が考えられる。このかしめ治具７は同図に示すように、止め具６の長辺部４０の長手方向中央寄りを対向する他方の長辺部４０側に（図２ａの矢印ａ方向に）加圧して、当該止め具（６）に図２（ｂ）に示すような圧着部８を形成可能な凸状の加圧部１０と、加圧部１０による加圧によって止め具６の短辺部４２が加圧方向側方（図２ａの矢印ｂ方向）へ広がることを規制する規制部１１と、加圧部１０による加圧と規制部１１による規制とによって、加圧部１０による加圧方向と反対方向へ膨出する前記長辺部４０の長手方向両外側部４４を収受し、当該止め具（６）に図２（ｂ）に示すような余剰部９を形成可能な逃げ部１２とを備えた一組のかしめダイス５０から構成され、図３に示すように対向させた一組のかしめダイス５０の間にコネクタ４（ハウジング後方部材３８）の心線差込み側端部５に被せられた光ファイバコード１の外被２に被せた止め具６を配置し、同止め具６を上下からかしめることによって、同止め具６を図２（ｂ）に示すように加圧変形させることができるようにしたものである。尚、図３に示す止め具６の短辺部４２と規制部１１との間のクリアランスは０〜０．２mm程度が望ましい。クリアランスを前記程度とすると、かしめ治具７の加圧部１０と止め具６の長辺部４０との接触位置が常に所定の位置に定まり、さらに加圧部１０による加圧によって短辺部４２が加圧方向側方へ広がることもない。また、図３に示すかしめ治具７を使用して止め具６をかしめた場合、かしめ前に０．２〜０．４mmであった止め具６の肉厚、および０．６〜１．０mmであった光ファイバコード１の外被２の肉厚は夫々６０〜８０％の厚みに圧縮される。
【００１４】
図４に示すように、前記ハウジング後方部材３８の心線差込み側端部５の外周面に突子２０を突設し、前記のようにして止め具６をかしめると、当該心線差込み側端部５に被せられた光ファイバコード１の外被２に突子２０が食い込んで、コネクタ４とコード１の固定がさらに強固になるようにすることもできる。
【００１５】
本発明の固定構造によってコネクタに固定可能なコードは心線が外被によって被覆されたものであれば前記構造のものに限定されるものではなく、光ファイバコードに限定されるものでもない。また、本発明の固定構造によってコードに固定可能なコネクタの構造も前記したものに限定されない。
【００１６】
（実施形態２）
本発明のコネクタとコードの固定方法の実施形態の一例を図５、図６に基づいて説明する。この実施形態に示す本発明の固定方法は前記本発明の固定構造を実現するためのものである。
（１）図５（ａ）に示すように、光ファイバコード１の一端をブーツ６０、止め具６、ハウジング後方部材３８、ハウジング中間部材３６の順でこれらに通し、当該光ファイバコード１の上にブーツ６０、止め具６、ハウジング後方部材３８、ハウジング中間部材３６を前記の順序で配置する。
（２）ハウジング中間部材３６より先方に突出した光ファイバコード１の先端側の外被（シース）２を除去して心線３を外部に露出させる。
（３）ハウジング中間部材３６より先方に突出した心線３の外周にスプリング６１を巻装し、同心線３の先端にフェルール３０を取り付け、取り付けられたフェルール３０をハウジング前方部材３４の内側に挿入する。このとき、前記フェルール４０はその先端面がハウジング前方部材３４の先端から所定長だけ外側に突出する位置までハウジング前方部材３４内に挿入する。また、フェルール３０の先端面は研磨その他の必要な端面処理が施されている。尚、前記スプリング６１はフェルール３０をハウジング前方部材３４側に押圧して光結合を確実なものとする役割を果たすものである。
（４）ハウジング中間部材３６をハウジング前方部材３４側に引き寄せて、同中間部材３６の先端に突設された係止突起６３を同前方部材３４の内面に設けられた係止部（図示しない）に係止させ、図５（ｂ）に示すようにハウジング前方部材３４とハウジング中間部材３６を結合させる。
（５）ハウジング後方部材３８をハウジング中間部材３６側に引き寄せて、図６（ａ）に示すように、ハウジング中間部材３６の後端にハウジング後方部材３８を被せて両者を結合する。このとき、図５（ｂ）に示すように光ファイバケーブル１の外被２の先端から突出している抗張力体６５をハウジング中間部材３６の後端外周面とハウジング後方部材３８の先端内周面との間に挟み込むようにして両者を結合させる。
（６）図６（ａ）に示すように、光ファイバコード１の外被２をハウジング後方部材３８の心線差込み側端部５の外側に被せ、次に、図６（ｂ）に示すように、ハウジング後方部材３８の心線差込み側端部５に被せられた外被２の上に止め具６を引き寄せて被せる。尚、このとき図１（ａ）に示すように、外被２に切り込み７０を入れると、前記心線差込み側端部５の外側に被せ易い。
（７）外被２の上に被せられた止め具６を前記図３に示すかしめ治具７でかしめて図２（ｂ）に示すように加圧変形させ、加圧変形によって形成された止め具６の圧着部８によって外被２を心線差込み側端部５に圧着固定する。
（８）図６（ｂ）に示すようにブーツ６０をかしめられた止め具６側に引き寄せてその上に被せる。
【００１７】
前記（１）〜（８）の各段階の順序は必ずしも前記順序に限定されるものではなく、最終的にコードの外被に被せた止め具を図２（ｂ）に示すように圧縮変形させて、その内側の外被を止め具の圧着部によってコネクタの心線差込み側端部に圧着固定可能であれば順序を入れ替えたり、一部の段階を省略したり、他の段階を加えたりすることもできる。
【００１８】
【発明の効果】
本件出願のコネクタとコードの固定方法及び固定方法は次のような効果を有する。
（１）加圧変形によって生じた止め具の余剰部を逃がすので、止め具が局部的に変形することがなく、止め具の圧着部が面で外被を加圧するので、断面横長の止め具を使用してもその内側のコネクタが破損する虞がない。
（２）余剰部を加圧方向と反対方向に膨出させるので、止め具に加えられた圧力が加圧方向側方（コードの幅方向外側）に逃げることがなく、コネクタとコードの固定が確実且つ強固なものとなる。
（３）前記の通り、断面横長の止め具を使用した場合に発生する従来の問題点が解決されるので、多心のコードとコネクタの固定に特に有用である。
【図面の簡単な説明】
【図１】  （ａ）はコネクタの心線差込み側端部に外被が被せられた状態を示す説明図、（ｂ）は前記外被に被せて圧縮変形させた止め具を示す説明図。
【図２】  （ａ）は圧縮変形される前の止め具を示す断面図、（ｂ）は圧縮変形された止め具を示す断面図。
【図３】  本発明のコネクタとコードの固定方法に使用されるかしめ治具の一例を示す断面図。
【図４】  外周面に突子が突設されたハウジング後方部材の心線差込み側端部を示す説明図。
【図５】  （ａ）は本発明のコネクタとコードの固定方法の一段階を示す説明図、（ｂ）は（ａ）の後の段階を示す説明図。
【図６】  本発明のコネクタとコードの固定方法の一段階を示す説明図であって、（ａ）は図５（ｂ）の後の段階を示す説明図、（ｂ）は（ａ）の後の段階を示す説明図。
【図７】  従来のコネクタとコードの固定構造を示す断面図であって、（ａ）は縦断面図、（ｂ）は横断面図。
【図８】  断面横長の止め具を従来のかしめ治具でかしめた状態を示す断面図。
【図９】  断面横長の止め具をその幅方向外側に逃げを設けたかしめ治具でかしめた状態を示す断面図。
【符号の説明】
１  コード
２  外被
３  心線
４  コネクタ
５  心線差込み側端部
６  止め具
７  かしめ治具
８  圧着部
９  余剰部
１０  加圧部
１１  規制部
１２  逃げ部
【図１】
0004413390.tif 000002
【図２】
0004413390.tif 000003
【図３】
0004413390.tif 000004
【図４】
0004413390.tif 000005
【図５】
0004413390.tif 000006
【図６】
0004413390.tif 000007
【図７】
0004413390.tif 000008
【図８】
0004413390.tif 000009
【図９】
0004413390.tif 000010